(57)【要約】  本開示は、ワイヤレスネットワークにおいて1つ以上の高周波送信点（TP）とユーザ機器（UE）との間にデータリンクを提供するための方法であって、該方法が、異種ワイヤレスネットワークにおいてマクロセルからの割り当てをUEによって受信するステップであって、割り当てが、1つ以上の高周波TPダウンリンクビームにマッピングされたUE専用の基準信号セットを含む、ステップを含む、方法を含む。UEは、1つ以上のTPダウンリンクビームの各々で送信されたUE専用の基準信号を検出することにより1つ以上のTPダウンリンクビームの各々を識別する。UEは、1つ以上のTPダウンリンクビームの各々の品質を測定し、品質に基づいて1つ以上のTPダウンリンクビームから、選択されたビームを選択する。UEは、選択されたビームを送信した高周波TPとのデータリンクを、選択されたビームを使用して確立する。
2019520737.tif 000002
【特許請求の範囲】
【請求項１】
ワイヤレスネットワークにおいて1つ以上の高周波送信点（TP）とユーザ機器（UE）との間にデータリンクを提供するための方法であって、前記方法が、
前記ワイヤレスネットワークにおいてマクロセルマネージャからの割り当てを前記UEによって受信するステップであって、前記割り当てが、1つ以上の高周波TPダウンリンクビームにマッピングされたUE専用の基準信号セットを含む、ステップと、
前記UEによって、前記1つ以上のTPダウンリンクビームの各々で送信された前記UE専用の基準信号を検出することにより前記1つ以上のTPダウンリンクビームの各々を識別するステップと、
前記UEによって前記1つ以上のTPダウンリンクビームの各々の品質を測定するステップと、
前記品質に基づいて前記1つ以上のTPダウンリンクビームから、選択されたビームを選択するステップと、
前記選択されたビームを送信した前記高周波TPとの前記データリンクを、前記UEによって前記選択されたビームを使用して確立するステップと
を含む、方法。
【請求項２】
前記マクロセルマネージャが、低周波トランシーバを含み、前記1つ以上のTPを制御し、割り当てを受信する前記ステップが、前記低周波トランシーバを使用して送信される、請求項1に記載の方法。
【請求項３】
前記選択されたビームが、前記データリンクの専用である、請求項1に記載の方法。
【請求項４】
前記UEが、高周波トランシーバを含み、前記UEが、前記割り当てに応答して前記高周波トランシーバをオンにする、請求項1に記載の方法。
【請求項５】
前記TPダウンリンクビーム形成された基準信号が、拡張送信時間間隔（TTI）に送信され、前記TTIの長さが、前記マクロセルマネージャによって定義される、請求項1に記載の方法。
【請求項６】
前記拡張TTIの長さが、基準信号の数および基準信号の送信方法に基づいて決定される、請求項5に記載の方法。
【請求項７】
ダウンリンクビームおよびアップリンクビームを、前記拡張TTIにおいて時間的に多重化することができる、請求項5に記載の方法。
【請求項８】
UEが、前記複数の高周波TPダウンリンクビームのうちの好適な1つを検出した後、リンクセットアップ要求およびチャネル品質インジケータ（CQI）を高周波TPに送信し、次に、ULバースト送信に対するアップリンク（UL）グラントまたは前記選択されたビームで送信される、前記高周波TPからのダウンリンク（DL）データを待機する、請求項1に記載の方法。
【請求項９】
前記予め設定されたTx−Rxビーム形成時間パターンに基づいて、前記好適なビームの方向に沿って前記リンクセットアップ要求を前記TPに直接送信することができる、請求項8に記載の方法。
【請求項１０】
前記リンクセットアップ要求をマクロセルマネージャに送信することができ、次に、前記マクロセルが、前記要求を前記TPに中継することができる、請求項8に記載の方法。
【請求項１１】
高速ハイブリッド自動再送要求（HARQ）フィードバックに、柔軟な送信時間間隔（TTI）が必要とされる、請求項1に記載の方法。
【請求項１２】
データリンクが、アップリンク（UL）バースト送信であり、通常のUL TTIの後に、ACK／NACKのための短いダウンリンクTTIおよび高周波TPからの他のダウンリンク制御シグナリングが続く、請求項11に記載の方法。
【請求項１３】
前記データリンクが、ダウンリンク（DL）バースト送信であり、通常のDL TTIの後に、UEがACK／NACKをフィードバックするための短いアップリンク（UL）TTIが続く、請求項11に記載の方法。
【請求項１４】
前記データリンクが、データのバースト送信であり、前記データの再送信が、前記マクロセルマネージャを介して行われる、請求項1に記載の方法。
【請求項１５】
ワイヤレスネットワークにおいて高周波送信点（TP）とユーザ機器（UE）との間にデータリンクを提供するための方法であって、前記方法が、
マクロセルマネージャからの割り当てを前記TPによって受信するステップであって、前記割り当てが、複数のビームにマッピングされたUE専用の基準信号セットを含む、ステップと、
前記TPによって前記複数のビームを送信するステップと、
前記TPによって、前記複数のビームのうちの1つでリンクをセットアップするためにUEリンクセットアップ要求を検出するステップと、
前記TPによってリンクセットアップ指示をマクロセルに報告するステップと
を含む、方法。
【請求項１６】
TPが、前記UEリンクセットアップ要求を検出する前記ステップまで前記複数のビームを逐次的に送信する、請求項15に記載の方法。
【請求項１７】
前記TPが、前記UEリンクセットアップ要求を受信したら、前記複数のビームの送信を中止し、次の高周波送信時間間隔（TTI）の境界でダウンリンク（DL）データまたはアップリンク（UL）グラントを送信する、請求項15に記載の方法。
【請求項１８】
ワイヤレスネットワークにおいて指定された高周波送信点（TP）とユーザ機器（UE）との間にデータリンクを提供するための方法であって、前記方法が、
マクロセルマネージャによって高周波可用性指示を前記UEに送信するステップと、
前記マクロセルマネージャによって割り当てを前記TPに送信するステップであって、前記割り当てが、前記TPからの複数のビームにマッピングされたUE専用の基準信号セットを含む、ステップと、
マクロセルマネージャによってUEコンテキスト情報を受信するステップと、
マクロセルマネージャによって、ダウンリンクバースト送信に関する前記UEからのACK／NACKまたはアップリンクバースト送信に関する前記TPからのACK／NACKを受信するステップと
を含む、方法。
【請求項１９】
前記マクロセルマネージャが、前記TPと前記UEとの間にバースト送信を確立するかどうかを決定する、請求項18に記載の方法。
【請求項２０】
マクロセルマネージャが、前記UEをページングし、UEコンテキスト情報を収集し、前記UEコンテキスト情報が、前記マクロセルマネージャによって、DLバースト送信を確立するかどうかの決定に使用される、請求項19に記載の方法。
【請求項２１】
マクロセルマネージャが、UE位置に基づいて関連するTPを起動する、請求項18に記載の方法。
【請求項２２】
マクロセルマネージャが、低周波でハイブリッド自動再送要求（HARQ）を提供する、請求項18に記載の方法。
【請求項２３】
ダウンリンク（DL）バースト送信に関して、マクロセルマネージャが、前記UEからのACK／NACK、前記低周波で再送信を提供する、請求項18に記載の方法。
【請求項２４】
ワイヤレスネットワークにおいてユーザ機器（UE）と1つ以上の高周波送信点（TP）との間にデータリンクを提供するように構成されたユーザ機器（UE）であって、
高周波帯域で動作する第1のトランシーバと、
低周波帯域で動作する第2のトランシーバと、
命令を実行するためのプロセッサであって、前記命令が、
前記ワイヤレスネットワークにおいて、マクロセルマネージャからの割り当てを受信することであって、前記割り当てが複数の高周波TPダウンリンクビームにマッピングされたUE専用の基準信号セットを含む、受信すること、
前記複数のTPダウンリンクビームの各々で送信された前記UE専用の基準信号を検出することによって前記複数のTPダウンリンクビームの各々を識別すること、
前記複数のTPダウンリンクビームの各々の品質を測定すること、
前記品質に基づいて前記複数のTPダウンリンクビームから、選択されたビームを選択すること、および
前記選択されたビームを送信した前記高周波TPとのデータリンクを、前記選択されたビームを使用して確立すること
を含む、プロセッサと
を備える、ユーザ機器（UE）。
【請求項２５】
ワイヤレスネットワークにおいて高周波送信点（TP）とユーザ機器（UE）との間にデータリンクを提供するように構成された高周波送信点（TP）であって、
マクロセルマネージャとの通信リンクと、
高周波帯域で通信するためのトランシーバと、
命令を実行するためのプロセッサであって、前記命令が、
前記マクロセルマネージャからの割り当てを受信することであって、前記割り当てが複数のビームにマッピングされたUE専用の基準信号セットを含む、受信すること、
前記トランシーバを使用して前記複数のビームを送信すること、
前記複数のビームのうちの1つでリンクをセットアップするためにUEリンクセットアップ要求を検出すること、および
リンクセットアップ指示をマクロセルマネージャに報告すること
を含む、プロセッサと
を備える、高周波送信点（TP）。
【請求項２６】
ワイヤレスネットワークにおいて指定された高周波送信点（TP）とユーザ機器（UE）との間にデータリンクを提供するように構成されたマクロセルマネージャであって、
高周波帯域で動作する第1のトランシーバと、
低周波帯域で動作する第2のトランシーバと、
命令を実行するためのプロセッサであって、前記命令が、
前記第2のトランシーバを使用して高周波可用性指示を前記UEに送信すること、
割り当てを前記TPに送信することであって、前記割り当てが前記TPからの複数のビームにマッピングされたUE専用の基準信号セットを含む、送信すること、
前記UEからのUEコンテキスト情報を受信すること、および
ダウンリンクバースト送信に関する前記UEからのACK／NACKまたはアップリンクバースト送信に関する前記TPからのACK／NACKを受信すること
を含む、プロセッサと
を備える、マクロセルマネージャ。
【発明の詳細な説明】
【技術分野】
【０００１】
本出願は、2016年5月18日に出願された、「高周波バースト送信を含む、セルラーネットワークを動作させる方法」と題する米国非仮特許出願第15／157，789号の優先権を主張するものであり、また、その全体は、参照により本明細書に転載されているかのように組み込まれる。
【０００２】
本開示は、一般に、システムおよび方法のワイヤレス通信に関し、特定の実施形態では、高周波信号を使用してバーストモードで通信するためのシステムおよび方法に関する。
【背景技術】
【０００３】
需要を満たすのに十分なワイヤレスデータ容量を提供することは、継続的な課題である。追加の帯域幅を提供するために次世代のセルラー通信規格（5G）において検討されている1つの領域は、ミリ波周波数などの高周波（すなわち、6GHz超）を使用することである。30ギガヘルツ（GHz）と300GHzとの間のキャリア周波数を使用して通信されるワイヤレス信号は、一般にミリ波（mmWave）信号と呼ばれている。これは、30GHzの波長が約10mmであり、周波数が30GHzより高くなると共に、この波長が減少していくためである。したがって、1桁のミリメートルで測定される波長は、約30GHzから始まる。高周波を使用して通信するためのプロトコルを定義する種々の電気通信規格が存在する。しかしながら、30GHzを超えるワイヤレス信号の減衰特性のために、mmWave信号は、比較的長距離（例えば、1キロメートルを超える距離）で送信された場合に高い、場合によっては許容できないパケット損失率を示す傾向があり、このため、主に短距離通信に使用されてきた。
【０００４】
この制限に対処するために、いくつかの技術が開発されている。特に、高度なビーム形成技術を用いた多入力多出力、すなわちMIMOアンテナアレイのデモンストレーションが成功している。しかしながら、ビーム形成は、特定のスポットに非常に集中するビームを生成する。受信ユーザデバイスが移動体である場合、ユーザデバイスの移動によって、接続が中断される可能性がある。加えて、高周波接続は比較的脆弱である。高周波接続は、障害物のない見通し線を必要とし、ノイズまたは干渉によって容易に中断される可能性がある。したがって、リンクはしばしば中断される。各中断はリンクの再取得を必要とするため、リンクをアクティブに保つためだけに大量のオーバヘッドが発生する。それにもかかわらず、高周波信号は、その高いデータ搬送能力のために魅力的である。したがって、その高い容量を利用するために高周波送信の制限を克服する技術が必要とされている。
【発明の概要】
【課題を解決するための手段】
【０００５】
一実施形態によれば、方法は、ワイヤレスネットワークにおいて1つ以上の高周波送信点（TP）とユーザ機器（UE）との間にデータリンクを提供することを含み、本方法は、異種ワイヤレスネットワークにおいてマクロセルマネージャからの割り当てをUEによって受信するステップであって、割り当てが、1つ以上の高周波TPダウンリンクビームにマッピングされたUE専用の基準信号セットを含む、ステップを含む。UEは、1つ以上のTPダウンリンクビームの各々で送信されたUE専用の基準信号を検出することにより1つ以上のTPダウンリンクビームの各々を識別する。UEは、1つ以上のTPダウンリンクビームの各々の品質を測定し、品質に基づいて1つ以上のTPダウンリンクビームから、選択されたビームを選択する。UEは、選択されたビームを送信した高周波TPとのデータリンクを、選択されたビームを使用して確立する。
【０００６】
任意選択的に、先の実施形態のいずれかにおいて、マクロセルマネージャは、低周波トランシーバを含み、1つ以上のTPを制御し、割り当てを受信するステップは、低周波トランシーバを使用して送信される。
【０００７】
任意選択的に、先の実施形態のいずれかにおいて、選択されたビームは、データリンクの専用である。
【０００８】
任意選択的に、先の実施形態のいずれかにおいて、UEは、高周波トランシーバを含み、UEは、割り当てに応答して高周波トランシーバをオンにする。
【０００９】
任意選択的に、先の実施形態のいずれかにおいて、TPダウンリンクビーム形成された基準信号は、拡張送信時間間隔（TTI）に送信され、TTIの長さは、マクロセルマネージャによって定義される。
【００１０】
任意選択的に、先の実施形態のいずれかにおいて、拡張TTIの長さは、基準信号の数および基準信号の送信方法に基づいて決定される。
【００１１】
任意選択的に、先の実施形態のいずれかにおいて、ダウンリンクビームおよびアップリンクビームは、拡張TTIにおいて時間的に多重化することができる。
【００１２】
任意選択的に、先の実施形態のいずれかにおいて、UEは、複数の高周波TPダウンリンクビームのうちの好適な1つを検出した後、リンクセットアップ要求およびチャネル品質インジケータ（CQI）を高周波TPに送信し、次に、ULバースト送信に対するアップリンク（UL）グラントまたは選択されたビームで送信される、高周波TPからのダウンリンク（DL）データを待機する。
【００１３】
任意選択的に、先の実施形態のいずれかにおいて、予め設定されたTx−Rxビーム形成時間パターンに基づいて、好適なビームの方向に沿ってリンクセットアップ要求をTPに直接送信することができる。
【００１４】
任意選択的に、先の実施形態のいずれかにおいて、リンクセットアップ要求をマクロセルマネージャに送信することができ、次に、マクロセルは、この要求をTPに中継することができる。
【００１５】
任意選択的に、先の実施形態のいずれかにおいて、高速ハイブリッド自動再送要求（HARQ）フィードバックに、柔軟な送信時間間隔（TTI）が必要とされる。
【００１６】
任意選択的に、先の実施形態のいずれかにおいて、データリンクは、アップリンク（UL）バースト送信であり、通常のUL TTIの後に、ACK／NACKのための短いダウンリンクTTIおよび高周波TPからの他のダウンリンク制御シグナリングが続く。
【００１７】
任意選択的に、先の実施形態のいずれかにおいて、データリンクは、ダウンリンク（DL）バースト送信であり、通常のDL TTIの後に、UEがACK／NACKをフィードバックするための短いアップリンク（UL）TTIが続く。
【００１８】
任意選択的に、先の実施形態のいずれかにおいて、データリンクは、データのバースト送信であり、データの再送信が、マクロセルマネージャを介して行われる。
【００１９】
別の実施形態によれば、方法は、ワイヤレスネットワークにおいて高周波送信点（TP）とユーザ機器（UE）との間にデータリンクを提供することを含み、本方法は、マクロセルマネージャからの割り当てをTPによって受信するステップであって、割り当てが、複数のビームにマッピングされたUE専用の基準信号セットを含む、ステップを含む。TPは、複数のビームを送信する。TPは、複数のビームのうちの1つでリンクをセットアップするためにUEリンクセットアップ要求を検出する。TPは、リンクセットアップ指示をマクロセルに報告する。
【００２０】
任意選択的に、先の実施形態のいずれかにおいて、TPは、UEリンクセットアップ要求を検出するまで複数のビームを逐次的に送信する。
【００２１】
任意選択的に、先の実施形態のいずれかにおいて、TPは、UEリンクセットアップ要求を受信したら、複数のビームの送信を中止し、次の高周波送信時間間隔（TTI）の境界でダウンリンク（DL）データまたはアップリンク（UL）グラントを送信する。
【００２２】
別の実施形態によれば、方法は、異種ワイヤレスネットワークにおいて指定された高周波送信点（TP）とユーザ機器（UE）との間にデータリンクを提供することを含み、本方法は、マクロセルマネージャによって高周波可用性指示をUEに送信するステップを含む。マクロセルマネージャは、割り当てをTPに送信し、この割り当ては、TPからの複数のビームにマッピングされたUE専用の基準信号セットを含む。マクロセルマネージャは、UEコンテキスト情報を受信する。マクロセルマネージャは、ダウンリンクバースト送信に関するUEからのACK／NACKまたはアップリンクバースト送信に関するTPからのACK／NACKを受信する。
【００２３】
任意選択的に、先の実施形態のいずれかにおいて、マクロセルマネージャは、TPとUEとの間にバースト送信を確立するかどうかを決定する。
【００２４】
任意選択的に、先の実施形態のいずれかにおいて、マクロセルマネージャは、UEをページングし、UEコンテキスト情報を収集し、UEコンテキスト情報は、マクロセルマネージャによって、DLバースト送信を確立するかどうかの決定に使用される。
【００２５】
任意選択的に、先の実施形態のいずれかにおいて、マクロセルマネージャは、UE位置に基づいて関連するTPを起動する。
【００２６】
任意選択的に、先の実施形態のいずれかにおいて、マクロセルマネージャは、低周波でハイブリッド自動再送要求（HARQ）を提供する。
【００２７】
任意選択的に、先の実施形態のいずれかにおいて、ダウンリンク（DL）バースト送信に関して、マクロセルマネージャは、UEからのACK／NACK、低周波で再送信を提供する。
【００２８】
別の実施形態では、ユーザ機器（UE）は、異種ワイヤレスネットワークにおいてUEと1つ以上の高周波送信点（TP）との間にデータリンクを提供するように構成される。UEは、高周波帯域で動作する第1のトランシーバと、低周波帯域で動作する第2のトランシーバと、命令を実行するためのプロセッサとを含む。命令は、異種ワイヤレスネットワークにおいて、マクロセルマネージャからの割り当てを受信することであって、割り当てが複数の高周波TPダウンリンクビームにマッピングされたUE専用の基準信号セットを含む、受信することを含む。命令はまた、複数のTPダウンリンクビームの各々で送信されたUE専用の基準信号を検出することによって複数のTPダウンリンクビームの各々を識別することを含む。命令はまた、複数のTPダウンリンクビームの各々の品質を測定することを含む。命令はまた、品質に基づいて複数のTPダウンリンクビームのうちの1つから、選択されたビームを選択することおよび選択されたビームを送信した高周波TPとのデータリンクを、選択されたビームを使用して確立することを含む。
【００２９】
任意選択的に、先の実施形態のいずれかにおいて、マクロセルマネージャは、低周波トランシーバを含み、1つ以上のTPを制御し、割り当てを受信するステップは、低周波トランシーバを使用して送信される。
【００３０】
任意選択的に、先の実施形態のいずれかにおいて、選択されたビームは、データリンクの専用である。
【００３１】
任意選択的に、先の実施形態のいずれかにおいて、UEは、高周波トランシーバを含み、UEは、割り当てに応答して高周波トランシーバをオンにする。
【００３２】
任意選択的に、先の実施形態のいずれかにおいて、TPダウンリンクビーム形成された基準信号は、拡張送信時間間隔（TTI）に送信され、TTIの長さは、マクロセルマネージャによって定義される。
【００３３】
任意選択的に、先の実施形態のいずれかにおいて、拡張TTIの長さは、基準信号の数および基準信号の送信方法に基づいて決定される。
【００３４】
任意選択的に、先の実施形態のいずれかにおいて、ダウンリンクビームおよびアップリンクビームは、拡張TTIにおいて時間的に多重化することができる。
【００３５】
任意選択的に、先の実施形態のいずれかにおいて、UEは、複数の高周波TPダウンリンクビームのうちの好適な1つを検出した後、リンクセットアップ要求およびチャネル品質インジケータ（CQI）を高周波TPに送信し、次に、ULバースト送信に対するアップリンク（UL）グラントまたは選択されたビームで送信される、高周波TPからのダウンリンク（DL）データを待機する。
【００３６】
任意選択的に、先の実施形態のいずれかにおいて、予め設定されたTx−Rxビーム形成時間パターンに基づいて、好適なビームの方向に沿ってリンクセットアップ要求をTPに直接送信することができる。
【００３７】
任意選択的に、先の実施形態のいずれかにおいて、リンクセットアップ要求をマクロセルマネージャに送信することができ、次に、マクロセルは、この要求をTPに中継することができる。
【００３８】
任意選択的に、先の実施形態のいずれかにおいて、高速ハイブリッド自動再送要求（HARQ）フィードバックに、柔軟な送信時間間隔（TTI）が必要とされる。
【００３９】
任意選択的に、先の実施形態のいずれかにおいて、データリンクは、アップリンク（UL）バースト送信であり、通常のUL TTIの後に、ACK／NACKのための短いダウンリンクTTIおよび高周波TPからの他のダウンリンク制御シグナリングが続く。
【００４０】
任意選択的に、先の実施形態のいずれかにおいて、データリンクは、ダウンリンク（DL）バースト送信であり、通常のDL TTIの後に、UEがACK／NACKをフィードバックするための短いアップリンク（UL）TTIが続く。
【００４１】
任意選択的に、先の実施形態のいずれかにおいて、データリンクは、データのバースト送信であり、データの再送信が、マクロセルマネージャを介して行われる。
【００４２】
別の実施形態では、高周波送信点（TP）は、異種ワイヤレスネットワークにおいてTPとユーザ機器（UE）との間にデータリンクを提供するように構成される。TPは、マクロセルマネージャとの通信リンクと、高周波帯域で通信するためのトランシーバと、命令を実行するためのプロセッサとを含む。命令は、マクロセルマネージャからの割り当てを受信することであって、割り当てが複数のビームにマッピングされたUE専用の基準信号セットを含む、受信することを含む。命令はまた、トランシーバを使用して複数のビームを送信することを含む。命令はまた、複数のビームのうちの1つでリンクをセットアップするためにUEリンクセットアップ要求を検出することおよびリンクセットアップ指示をマクロセルマネージャに報告することを含む。
【００４３】
任意選択的に、先の実施形態のいずれかにおいて、TPは、UEリンクセットアップ要求を検出するまで複数のビームを逐次的に送信する。
【００４４】
任意選択的に、先の実施形態のいずれかにおいて、TPは、UEリンクセットアップ要求を受信したら、複数のビームの送信を中止し、次の高周波送信時間間隔（TTI）の境界でダウンリンク（DL）データまたはアップリンク（UL）グラントを送信する。
【００４５】
別の実施形態では、マクロセルマネージャは、異種ワイヤレスネットワークにおいて指定された高周波送信点（TP）とユーザ機器（UE）との間にデータリンクを提供するように構成される。マクロセルマネージャは、高周波帯域で動作する第1のトランシーバと、低周波帯域で動作する第2のトランシーバと、命令を実行するためのプロセッサとを含む。命令は、第2のトランシーバを使用して高周波可用性指示をUEに送信することを含む。命令はまた、割り当てをTPに送信することであって、割り当てがTPからの複数のビームにマッピングされたUE専用の基準信号セットを含む、送信することを含む。命令はまた、UEからのUEコンテキスト情報を受信することおよびダウンリンクバースト送信に関するUEからのACK／NACKまたはアップリンクバースト送信に関するTPからのACK／NACKを受信することを含む。
【００４６】
任意選択的に、先の実施形態のいずれかにおいて、マクロセルマネージャは、TPとUEとの間にバースト送信を確立するかどうかを決定する。
【００４７】
任意選択的に、先の実施形態のいずれかにおいて、マクロセルマネージャは、UEをページングし、UEコンテキスト情報を収集し、UEコンテキスト情報は、マクロセルマネージャによって、DLバースト送信を確立するかどうかの決定に使用される。
【００４８】
任意選択的に、先の実施形態のいずれかにおいて、マクロセルマネージャは、UE位置に基づいて関連するTPを起動する。
【００４９】
任意選択的に、先の実施形態のいずれかにおいて、マクロセルマネージャは、低周波でハイブリッド自動再送要求（HARQ）を提供する。
【００５０】
任意選択的に、先の実施形態のいずれかにおいて、ダウンリンク（DL）バースト送信に関して、マクロセルマネージャは、UEからのACK／NACK、低周波で再送信を提供する。
【００５１】
次に、本開示およびその利点のより完全な理解のために、添付図面と併せて以下の説明を参照する。
【図面の簡単な説明】
【００５２】
【図１】高周波ネットワークの図である。
【図２】高周波ネットワークの要素間の通信を示すプロセス図である。
【図３Ａ】高周波ネットワークの要素間の通信を示すプロセス図である。
【図３Ｂ】高周波ネットワークの要素間の通信を示すプロセス図である。
【図４】ビーム選択プロセスを示す、高周波ネットワークの部分図である。
【図５】ビームの送信に関するタイミング図である。
【図６】ビーム選択を示す、高周波ネットワークの部分図である。
【図７Ａ】ビーム送信のタイミング図である。
【図７Ｂ】ビーム送信のタイミング図である。
【図７Ｃ】ビーム送信のタイミング図である。
【図８】高周波ネットワークの要素間の通信を示すプロセス図である。
【図９Ａ】高周波ネットワークの要素間の通信を示すプロセス図である。
【図９Ｂ】高周波ネットワークの要素間の通信を示すプロセス図である。
【図１０】実施形態の処理システムのブロック図である。
【図１１】トランシーバのブロック図である。
【発明を実施するための形態】
【００５３】
以下では、好ましい実施形態の構造、製造、および使用について詳細に述べる。しかしながら、本開示は、多種多様な特定の状況で実施され得る多くの適用可能な発明概念を提供することを理解されたい。述べられている特定の実施形態は、実施形態を作製し使用するための特定の方法の例示に過ぎず、実施形態の範囲を限定しない。
【００５４】
本明細書に記載の実施形態は、著しい経路損失、リンクの脆弱性などの、高周波信号の制限を回避しながら高周波信号の大きなデータ容量を利用する異種ネットワークの使用を可能にする。マクロセルエリアは、マクロセルマネージャとして機能する、拡張ノードB（eNB）などの低周波ノードの制御下にある1つ以上の高周波送信点（TP）を含む。マクロセルエリア内のユーザ機器（UE）に向けられたデータ送信がeNBに到着すると、eNBは、マクロエリアが高周波TPを含むことを示す信号と共にページング信号を送信する。UEが高周波に対応している場合、eNBは、UEの近くのTPに基準信号を送信させる命令を送信する。基準信号は、高周波送信における著しい経路損失を克服するためにビーム形成されるべきである。UE専用の基準信号は、各ビームで送信され、各ビームは、異なる基準信号を用いて識別される。次に、UEは、各ビームのチャネル品質インジケータ（CQI）を決定する。一実施形態では、UEは、TPの中から最良の検出ビームをeNBに示す。次に、eNBの助けを借りて、UEおよびTPは、選択されたビームを使用してリンクのネゴシエーションを開始する。別の実施形態では、UEは、許容可能なビームが検出されたときに、選択されたTPと直接的にリンクを確立するプロセスを直ちに開始する。ビーム選択プロセスが実行されている間に、UEに対するダウンリンクデータが、マクロeNBからフロンタール接続を介してTPに送信される。UEと選択されたTPとの間にリンクが確立されたら、高周波信号の高い帯域幅のために、ダウンリンク（DL）送信を非常に高速に完了することができる。このバーストタイプの送信は、長期にわたってリンクを維持する必要がない。したがって、それは、高周波リンクを使用する際の脆弱性の問題を回避することができる。
【００５５】
図1は、高周波ネットワーク100の図であり、そこでは、マクロeNB150は、カバレッジを確保するために低周波帯域で動作し、システム容量を向上させるために高周波帯域の3つのTP130、132、134が配置されている。高周波TPは、マクロeNB150の制御下にある。この例では、UE102は、3つの受信ビーム110、112、および114を形成しており、TP130、132、および134から3つのダウンリンクビーム120、122、および124をそれぞれ受信する。UEが同時に形成することができるビームの数は、UE102の能力に依存する。
【００５６】
マクロeNB150（すなわち、マクロセル）のカバレッジ下のエリアには、TP130、132、および134などのいくつかの高周波TPがある。マクロeNBのカバレッジエリア内のTPの数は、マクロeNBのカバレッジ下のエリア内の状況に応じて変化する。例えば、一般的に、いくつかの建物があるエリアには、同様のサイズの、見通しのきくエリアよりも多くのTPがある。これは、高周波信号が、障害物のない見通し線を必要とするためである。すなわち、TPとUEとの間の巨大な物体は、ほぼ確実に、高周波信号を使用する送信を妨げる。したがって、これらの障害物を避けるために、より多くのTPが必要となる。各TPは、様々なタイプの接続、例えばフロンタール接続156によってマクロeNB150に接続されてもよい。フロンタール接続156は、トランスポート光ファイバ接続、固定ワイヤレス接続、または高速フロンタール接続を提供するために使用される既知の技術のいずれかであってもよい。
【００５７】
例示的な構成では、高周波対応のUE102がマクロセル内にある場合、mmWave通信に関して3つの動作モードが提案される。
・mmWave＿IDLE：mmWave TPへの接続なし。この状態では、UEは、電力を節約するためにそのmmWave RFフロントエンドをオフにする。
・mmWave＿Burst：バーストデータ送信のためのmmWave TPへの一時的な接続。
・mmWave＿Connected：UEは、ビデオストリーミングなどの、大容量データの連続送信のためにmmWave TPへの連続接続を維持する。このモードは、LTEの接続モードに類似する。
【００５８】
mmWave通信に関するこれらの状態は、プロトコルの状態、例えば制御プレーンプロトコルの状態として実現されてもよく、例えば、UEと関連するTPとの間のRRCが終了される。UEは、例えば、UEがマクロネットワークを使用してマクロeNB150に接続され、マクロeNBが、そのマクロセル内の高周波TPが利用可能であることを示した場合に、マクロeNB150の制御下でのみ、mmWave＿BurstモードまたはmmWave＿Connectedモードで動作するように制限されてもよい。加えて、UEの高周波トランシーバは、高周波カバレッジ内にあり、高周波TPに対して実行すべき動作（例えば、大量のデータのアップロードまたはダウンロード）を有するとき、オンされていなければならない。UEが、高周波能力を有するマクロセル内にある場合、UEは、その高周波トランシーバをオンにし、高周波TPとの高周波リンクを設定することができる。そうでなければ、電力を節約するために、UEの高周波トランシーバはオフされなければならない。
【００５９】
一実施形態では、高周波通信の可用性は、実際のサービス要求およびセルトラフィック負荷状況などの様々な基準に基づいてマクロeNB150を介してネットワークによって制御される。一実施形態では、高周波TPは、マクロ層からデータトラフィックをオフロードするホットスポットとして機能する。TPの動作（すなわち、TPがいつどのような状態で接続するか）は、ネットワークによって制御される。一実施形態では、マクロeNB150は、マクロ層のトラフィック負荷に基づいて1つ以上の高周波TP（130、132、134）をオン／オフする。必要ないときに高周波TPをオフにすることで、電力使用が最小限に抑えられ、TPによって生じ得る干渉が回避される。
【００６０】
一実施形態では、複数のUEにサービスする場合、高周波TPは、周波数分割多重化ではなく、アップリンクおよびダウンリンクの両方で異なるUE間の時分割多重化を使用する。したがって、特定のタイムスロットにおける、特定のUEに関わる特定のバースト送信の間、TPは、そのUEに対して専用の高周波リンクを有する。これにより、UEは、可能な限り迅速にアップリンクまたはダウンリンク送信を終了することができる。専用のリンクを使用することには、いくつかの利点がある。例えば、UEと高周波TPとの間のランダムアクセス手順は、衝突を処理し、ランダム送信のソースを特定する必要が少ないため、簡単にすることができる。物理ダウンリンク制御チャネル（PDCCH）も、すべての物理リソースが1つのUEに割り当てられるため、簡単にすることができる。
【００６１】
上述したように、mmWaveモードでは、UEは、mmWave＿BurstモードまたはmmWave＿ConnectedモードでTPにリンクすることができる。モードは、可能であれば、UEからの測定およびコンテキスト情報を用いてマクロeNBによって決定される。モードは、データトラフィックの特性に基づいて決定されてもよい。散発的なデータトラフィックの場合、ビーム形成された高周波リンクを維持するために必要なオーバヘッドを伴う連続接続の必要がないため、mmWave＿Burstモードが使用される。連続的なデータトラフィック（例えば、ビデオストリーミング）の場合、mmWave＿Connectedモードが好ましい。モードはまた、チャネル統計に基づいてもよい（すなわち、モードは、セルの位置または時間に基づいて半静的であってもよい）。ダイナミクスの高い（例えば、ビームの切り替えまたは妨害が頻繁にある）チャネルでは、ビームの切り替えまたは再取得のオーバヘッドを回避するために、mmWave＿Burstモードが好ましい。比較的安定した環境では、mmWave＿Connectedモードが好ましい。しかしながら、UEまたはネットワークは、mmWave＿Connectedモードのために高周波リンクを維持するためにビームトラッキングをオンにする必要があり得る。したがって、送信モードの選択は、ビーム検出とビームトラッキングとの間のトレードオフである。加えて、高周波帯域のハイエンド（＞30GHz）では、高周波のより低い周波数に比べて、mmWave＿Burstモードがより好適である。これは、高周波のより低い周波数に比べて経路損失が大きくなり、ビーム幅が狭くなることから、リンクの堅牢性がいっそう問題になるからである。異なるシナリオでは、上記の態様の一部または全部を考慮して、mmWave＿Connected通信モードとmmWave＿Burst通信モードを選択するための異なる基準が採用されてもよく、設定の決定は、UEによって、マクロeNBもしくは高周波TPなどのネットワークノードによって、またはUEとネットワークとの協調によって行われてもよい。
【００６２】
図2は、高周波TPを使用してダウンリンク（DL）バースト送信を行うための、実施形態のプロセスの図である。DLデータがマクロeNB150に送信されていて、UE102に送信される準備ができており、UE102が、UE102とTP130との間にリンクが確立され得るような位置にあると想定されている。ステップ202において、マクロeNB150は、低周波接続（例えば、マクロeNB150を使用するLTE）を使用してページングメッセージを送信する。このページは、DLデータがUE102にとって利用可能であることを示し、高周波接続が利用可能であるという指示を提供する。加えて、このページは、マクロeNB150の制御下の高周波TPの設定に関する設定情報を含む。ページング情報の一部として、マクロeNB150は、データを高周波TPを介して送るかあるいは低周波（例えばLTE）接続を介してマクロeNBから直接送るかをUE102に示す。高周波TPが利用可能でない場合、UE102は、マクロ層ページング手順に従い（例えば、ページングメッセージに応答してランダムアクセスを行い、その後、無線リソース制御（RRC）接続を設定する）、データは、マクロeNBによって配信される。
【００６３】
ステップ204において、マクロeNB150は、必要に応じて、TP130を起動するメッセージを送信し、ビーム形成された基準信号（RS）を送信させる要求を送信する（図4に関して後に説明する）。ステップ204のメッセージは、ネットワークインタフェース、例えば、フロンタールインタフェース、またはLTE X2インタフェースなどの基地局間インタフェースを介して送信されてもよい。ステップ206において、TP103は、DLビーム検出のために基準信号を伴う複数のビームを送信するプロセスを開始する。ステップ206が行われている間、マクロeNB150は、ステップ208において、DLデータをTP130に送信する。代替実施形態では、マクロeNB150は、TP130が高周波リンク接続について肯定応答した後にデータをTP130に送信する。しかしながら、この代替プロセスは、より多くの待ち時間をもたらす。ステップ210において、UE102は、最も好適なビームを使用して、DLデータを送信させる要求を送信する。この要求は、TP130が適切な送信電力および変調・符号化方式（MCS）を決定することを可能にするために、最も好適なビームのチャネル品質インジケータ（CQI）を含む。次に、TP130は、ステップ212において、接続についてマクロeNB150に肯定応答する。次に、TP130は、ステップ214においてDL送信を送信する。TP130は、高周波信号を使用して動作し、したがって非常に広い帯域幅を有するので、大量のデータであっても、非常に短い時間（例えば10分の1ミリ秒）でDLを完了することができる。ステップ216において、UE102は、送信の成功（または後述のようにエラー）についてマクロeNB150に肯定応答する。一実施形態では、UE102はまた（または代替例では）、送信についてTP130に肯定応答する。ステップ216において、TP130は、その高周波トランシーバをオフにし、ステップ218において、UE102は、その高周波トランシーバをオフにする。送信が完了する前に高周波リンクが途切れた場合、マクロeNB150は、マクロ層で「再送信」を引き継ぐか、あるいは（場合によっては、例えばステップ202から開始される同じプロセスを繰り返すことによって、異なるTPを使用して）新しい高周波バースト送信を開始するかを決定することができる。
【００６４】
図3Aは、一実施形態を示すプロセス図である。この実施形態では、ハイブリッド自動再送要求（HARQ）プロセスが、TP130によって処理される。HARQプロセスは、リンクで送信されたデータが正しく送信されたかどうかを判定し、そうでなければ、データの再送信を準備する。ステップ302において、DLデータが送信される。この実施形態では、ステップ304に示すように、高周波ダウンリンク送信時間間隔（TTI）の後に、ACK／NACKのための短いアップリンクTTIが続く。しかしながら、UEにおける受信処理遅延の理由から、ダウンリンクTTIに対する肯定応答は、いくつかのダウンリンクTTIの後に送信されてもよい。実際の時間オフセットは、プロトコルで定義することもできるし、ダウンリンク制御チャネルでTPによって正確に示すこともできる。エラーチェック手順（例えばチェックサム、ハッシュ）がエラーを検出し、少なくとも部分的な再送信を必要とする場合、エラーが以前に検出されたデータの再送信のために短いダウンリンクTTIが使用されてもよい。別の実施形態では、TPのうちの1つとUEとの間の新しいリンクが確立され、データの間違った部分が再送信されてもよい。
【００６５】
図3Bは、HARQ手順の別の実施形態を示すプロセス図である。この手順では、ステップ306においてDLデータが送信された後、ステップ308において、ACK／NACKメッセージが、マクロeNB150に送信される。間違ったデータがあった場合、ステップ309において、正しいデータが、マクロeNB150によってマクロ層でUE102に直接送信される。代替実施形態では、マクロeNB150からデータを直接送信するのではなく、マクロeNB150は、ステップ310において、間違ったデータを再送信させる命令をTP130に送信し、TP130は、ステップ312においてデータを送信する。ステップ312の送信は、処理およびマクロeNB150への／からの送信によって生じる遅延のために、新しい高周波リンクを確立することを必要とする場合がある。
【００６６】
図4は、高周波TPを有する、実施形態の異種ネットワークの図であり、図2のステップ206を示す。この図において、UE102は、マクロeNB150によってページングされている。加えて、UE102は、高周波TPが利用可能であることおよびUE102がTP130または132の一方からの好適な高周波リンクを検出するためにその高周波トランシーバをオンにしなければならないことを知らされている。高周波信号は高い減衰を受けるので、TP130および132ならびに／またはUE102においてビーム形成が必要である。これは、アンテナアレイを用いた既知のビーム形成技術を使用して、可能ならばマクロeNB150の案内の下で、TP130および132によって達成される。幸いにも、高周波信号の波長は非常に小さいため、ビームの指向性および焦点を厳密に制御することができる。しかしながら、厳密に形成されたビームでは、特定の送信にはどのビームが有用であるかを判断しなければならない。
【００６７】
図4は、UE102との通信にビームB0〜B11のうちのどれが有用であるかを判断するための簡単なプロセスを示す。図4は、明確にするために12のビームのみを示している。ほとんどの状況において、このプロセスは、さらに多くのビームを伴う。しかしながら、UE102の比較的正確な位置を、例えばUE102からのGPSデータを使用してマクロeNB150によって決定することができる場合、ビームの数は限定され得る。マクロeNB150は、ビームB0〜B11の各々に個別の基準信号を割り当てる。加えて、B0〜B11に割り当てられる基準信号は、UE102の専用である。これは、UE102の受信範囲内で別の高周波ビーム取得プロセスが行われている場合に問題を回避する。このUE専用の基準信号の割り当てのために、近くのマクロeNB間の協調が期待される。近傍のマクロeNBには基準信号の異なるセットを割り当てることができる。
【００６８】
図4に示すこの簡単なプロセスでは、ビームB0〜B11は、それらの割り当てられた基準信号を伴って逐次的にブロードキャストされる。一実施形態では、ビーム形成された基準信号は、トレーニングフィールドとして機能するように設計される。特定のビーム掃引時間パターンは、マクロeNB150によってTP130および132などの複数のTPにわたって共通にスケジューリングすることができる。UE102は、各ビームをリッスンし、各ビームのチャネル品質インデックス（CQI）を決定する。次に、UEは、CQIに基づいてビームを選択し、ダウンリンクビームインデックスをマクロeNB150にフィードバックする。マクロeNB150は、対応するダウンリンクビームインデックスを、選択されたTPに通知してもよい。しかしながら、これは、短い送信バーストと比較して長い時間を要する場合がある。別の実施形態では、UE102は、選択されたTPとのリンク確立を開始することによって、選択されたTPに直接通知する。
【００６９】
高周波信号の帯域幅は非常に広いため、データを、UEの移動または妨害物によるリンクの著しい劣化の前に送信することができる。例えば、以下の表は、公表された研究活動およびLTEなどの既存のシステムに基づいて妥当なnumerologyを想定して、様々な周波数範囲で、送信時間間隔（TTI）当たりの達成可能なスループット（OFDMシンボルの）を比較している。
【００７０】
【表１】
2019520737.tif 000003
【００７１】
チャートから分かるように、72GHzのシステムは、広いサブキャリア間隔と共にかなり広い帯域幅を使用することができ、このため、OFDMシンボルの長さがかなり小さくなっている。OFDMシンボルは、6GHz以下の周波数範囲のLTE numerologyと比較して50分の1の短さであり、より多くの利用可能なサブキャリアを用いて2倍の、より多くのデータシンボルを配信する。同様に、72GHzシステムは、LTEシステムが1msで転送できるのと同じデータバーストを0．04msで転送することができ、システム帯域幅の4分の1しか占有しない。
【００７２】
この表は比較目的のために例示的な値を含むことに留意されたい。多くの要因が、異なる高周波信号を使用して達成可能なTTI当たりの実際のスループットに影響を及ぼし得る。
【００７３】
図4の例では、TPは、各方向（B0〜B11）に沿って送信ビームおよび受信ビームを同時にまたは交互に形成することができる。アップリンクモードまたはダウンリンクモードのいずれかでバースト送信を達成するために近接高周波リンクを確立するために、異なるメカニズム（後に説明するような）を適用することができる。選択されたビームを送信しているTPの識別情報は、UE102にトランスペアレントにすることができる。UE専用の基準信号セットのみがUE102に送信されるが、それは、必ずしもTPの識別情報の指示を含まない。各基準信号は、1つのビームおよび1つのUEにマッピングされる。
【００７４】
図5は、ビームB0〜B11のブロードキャストに関する2つのタイミング図を示す図である。（a）では、ビームB0〜B11は時間的に逐次的に送信される。各々は、Zadoff−Chuシーケンス、広帯域CDMAコード、または他の適切なコードとすることができる、そのビームおよびUE102の専用の基準信号を含む。一実施形態では、ビームB0〜B11の基準信号はすべて、コードの復号に関してUE102を助けるために互いに直交する。（b）では、TP130によって送信されるビームB0〜B5は、TP132によって送信されるビームB6〜B11と同時に送信される。別の実施形態では、（b）の実施形態で同時に送信されるビーム（例えば、B1およびB7）の符号は、互いに直交する基準信号を有し、それらがUE102に同時に到着し得る場合であっても、UE102によるコードの識別を容易にする他の技術を含んでもよい。
【００７５】
図6は、ビームが選択されたときのネットワーク100を示す図である。図6は、ビームB9（影付き）が選択され、ビームB9によってUE102とTP132との間にリンクが確立されている以外は図4と同様である。UE102は、指定されたタイムスロットでTP132にリンクセットアップ要求を送信することができる。このリンクを形成するための詳細な手順は、本出願と共に共有されており、その全体が本出願において本明細書に組み込まれる、同時係属中の米国特許出願第14／807613号に記載されている。ビーム選択がUE102によって報告された後、マクロeNB150は、選択されなかった高周波TP（図4の場合、TP130を意味する）を非アクティブ化する。前に言及したように、時分割は、高周波バースト送信におけるUE多重化にとって好ましい。バースト送信ごとに専用の高周波リンクリソースを割り当てなければならない。ビーム検出を高速化する高速ビーム掃引、高周波リンクの高速セットアップ、高速HARQ、および効率的なデータ送信を可能にするために、柔軟なフレーム構造を使用しなければならない。送信時間間隔（TTI）の長さは、例えばマクロeNB150によって、システムの標準化された特徴としてシンボルの数の観点から、または他の手段によって予め定義される。一部の実施形態では、TTIの長さは、異なるTP設定に基づいて変更されてもよい。ビームの掃引は、マクロeNB150からページング情報を受信した後にビーム検出を開始するためにUE102とTPを同期させることができるように、マクロeNB150のTTI境界またはフレーム境界で開始されなければならない。高周波TTIは、マクロeNBのTTIに対して、好ましくは1未満の何らかの係数でスケーリングされることが想定される。例えば、マクロeNBにおける1msのTTIは、上の表に示すように、通常の高周波TTIでは0．125msにスケーリングされる。
【００７６】
バースト送信では、高周波リンクは開ループモードで適合される。このモードでは、UE102は、選択されたビームに対してダウンリンク基準信号に基づいて1つ以上のダウンリンク測定手順を実行する。高周波リンクはUE102の専用であるため、UE102は、広帯域CQIをTP132に報告するだけでよい。一実施形態では、UE102は、高周波リンクセットアップ要求と共に広帯域CQIをTP132に返す。
【００７７】
図7A〜図7Cは、様々な実施形態を示すタイミング図である。上述したように、UE102（図4）とのリンクを確立するために、TPは、送信および受信のためにTxビームおよびRxビームの両方をそれぞれ形成しなければならない。図7A〜図7Cは、TP能力に基づく、TxビームおよびRxビームの形成に関する異なる時間スケジューリングを示す。これらの図では、Txビームは影付けされており、Rxビームは影付けされていない。同じラベルのビームは同じ方向に形成される。図7Aは、TxビームおよびRxビームを同時に形成することができるTPに関する例示的なビーム形成時間スケジューリングを示す。この構成では、Rxビーム（下方のバー）が、Txビームよりわずかに遅れている。この時間差は、UE102におけるダウンリンク基準信号検出遅延を容易にする。言い換えれば、UE102は、好適なCQIが（例えば）ダウンリンクビームB6で測定された後に、ビームB6に沿ってリンク要求を準備し送信するのに十分な時間を有する。TxビームおよびRxビームを同時に形成することができないTPについては、異なる時間スケジューリング方法を適用することができる。図7Bでは、TxビームおよびRxビームは、インターリーブされ、したがって別々の時間に形成される。この例では、B6およびB7のTxビームの後にRxビームB6が続く。これは、Rxビームの前にTxビームのCQIを決定することを可能にする。例として、TxビームB6のCQIがリンク形成に適している場合、UEは、次のRxビームB6でリンクセットアップ要求を送信する。Rxのために選択されるTxビームの準最適なCQIが決定される場合、UE102は、ダウンリンクビーム検出を続けることができる。別の代替例が、図7Cに示されており、そこでは、TPは、第1段階で、すべてのビーム形成された基準信号を順番に送信し、次に第2段階で、各方向を同じ順番でリッスンする。UEは、最初に第1段階でビーム検出を行い、次に第2段階で最良のビーム方向に沿ってリンクセットアップ要求を送信する。
【００７８】
ダウンリンクビーム方向が選択されたら、別の実施形態では、UE102は、選択されたビームを使用してTPとのリンクを確立するプロセスを直ちに開始する。次にTPは、ビーム形成された基準信号の送信を停止する。これにより、高周波リンクを確立するのに必要な時間が最小限に抑えられる。
【００７９】
図8は、高周波TPを使用してアップリンク（UL）バースト送信を行うための、実施形態のプロセスの図である。ステップ802において、UE102は、ランダムアクセスを開始し、UE102が送信すべきデータを有することを示すバッファ状態報告（BSR）または類似の状態情報を含むリンク要求をマクロeNB150に送信する。この送信において、UE102は、UE102が高周波に対応しているかどうかを示すことができる。例えば、ステップ802において、ランダムアクセス送信のプリアンブルを用いてこの指示を搬送することができる。ステップ804において、マクロeNB150が、UEの要求されたULデータ送信は高周波チャネルで処理されるべきであると決定した場合、マクロeNB150は、マクロeNB150によって制御されるTPが高周波能力を含むという指示をUE102に返し、高周波TP、利用可能な周波数などの設定をUE102に提供する。一実施形態では、UE102およびTPに送信される設定は、UE102の推定位置に対して最適化される。ステップ806において、マクロeNB150は、UE102との通信に関連し得るとマクロeNB150が考えるTPに起動コマンドを送信する。なお、この起動コマンドは、これらのTPにビーム形成されたDL基準信号を送信させるためのコマンドを含むかまたは伴う。ステップ808において、TPは、上の図4〜図7に関して説明した手順を使用するDLビーム検出のために、選択されたダウンリンクビームで基準信号を送信する。ステップ810において、UE102は、好適なビームを用いてリンクのためにリンク要求をTP130に送信する。図2のステップ210に関して上述したように、リンク要求は、選択された好適なビームを使用してTP130に直接送信されてもよいし、マクロeNB150およびフロンタール接続156を介してTP130に中継されてもよい。直接要求は、マクロeNB150およびフロンタール接続156を経由することを回避するため、リンクのより迅速な形成をもたらす。ビーム検出および報告の手順は、ダウンリンクバースト送信に関して説明した手順に従う。ステップ812において、TP130は、メッセージを用いて接続についてマクロeNB150に肯定応答し、ステップ814において、TP130は、メッセージを用いて接続要求についてUE102に肯定応答する。DLビームに基づいてUE130によって測定されたCQIを使用して、リンクの初期MCSが決定されてもよい。送信中にULの電力およびMCSが調整されてもよい。ただし、リンクの持続時間が短いため、この調整はまれである。加えて、後続のTTIにおけるさらなるアップリンクデータの送信を可能にするために、必要に応じてアップリンクグラントが発行されてもよい。ステップ816において、ULデータが送信される。ステップ818および820において、それぞれTP130およびUE102の高周波トランシーバがオフにされる。図2のDL送信と同様に、送信が完了する前に高周波リンクが途切れた場合、マクロeNB150は、低周波層で再送信を引き継ぐか、あるいは、場合によっては異なるTPを使用して、新しい高周波バースト送信を開始するかを決定することができる。
【００８０】
図9Aは、一実施形態を示すプロセス図である。この実施形態では、ハイブリッド自動再送要求（HARQ）プロセスが、TP130によって処理される。ステップ902において、ULデータが送信される。この実施形態では、ULバースト送信において、ステップ904に示すように、UL TTIの後に、ACK／NACKのための短いDL TTIが続く。エラーチェック手順（例えばチェックサム、ハッシュ）がエラーを検出し、少なくとも部分的な再送信を必要とする場合、受信エラーが以前に示されたデータの部分的な再送信のために短いUL TTIが使用されてもよい。別の実施形態では、TPのうちの1つとUEとの間の新しいリンクが確立される必要があり、影響を受けたデータが再送信されてもよい。
【００８１】
図9Bは、別の実施形態のHARQ手順を示すプロセス図である。この手順では、ステップ906においてULデータが送信された後、ステップ908において、ACK／NACKメッセージが、TP130からマクロeNB150に送信される。ACK／NACKメッセージが間違ったデータ受信を示した場合、ステップ909において、影響を受けたデータを再送信させる命令が、マクロeNB150によってUE102に直接送信され、これにより、UE102は、ステップ910において、このデータをマクロeNB150に再送信する。代替実施形態では、UE102がマクロeNB150にデータを再送信するのではなく、UE102は、TP130にデータを再送信し、次に、TP130が、マクロeNB150にデータを再送信する。送信が再び失敗した場合、ステップ912において、影響を受けたデータを新しいリンクで再送信させる命令が、TP130に送信される。同時に、マクロeNB150は、ステップ914において、TP130に再送信を予定させるメッセージをTP130に送信する。次に、UE102は、影響を受けたデータをTP130に再送信する。この送信は、例えば処理およびマクロeNB150への／からの送信によって生じる遅延のために、UE102とTP130との間に新しい高周波リンクを確立することを必要とする場合がある。この遅延の間に、無線環境が変化することで、UEによって以前に選択されたビームが、もはや再送信にとって好ましいビームではなくなる場合がある。
【００８２】
図2または図8のいずれのプロセスによって生じ得る1つの問題は、UE間の競合である。関連する送信時間が非常に短いため、高周波バースト送信を使用する場合、UEの競合はめったに発生しないはずである。しかしながら、UEの分布が高密度であるネットワークでは、1つの高周波TPが、2つのUEとのバースト送信を同時に設定するように2つのマクロeNBによってスケジューリングされ得る可能性もある。このような衝突を解決するには様々な方法がある。ネットワークは、TPの関連付けを一度に1つのマクロeNBに制限することができる。すなわち、高周波TPは、ある期間の間、1つのマクロeNBにのみ関連付けられる。これは衝突を防止するが、他の手法よりも効率が悪い可能性がある。別の選択肢では、マクロeNB150は、競合のインスタンスの解決を助けるために、例えばX2インタフェースを使用して、他のマクロeNBと高周波TP状態を交換することができる。1つ以上のマクロeNBは、異なるUEに配信される高周波設定が決して共通のTPを同時に含まないことを確実にするように調整されてもよい。
【００８３】
競合は、TPレベルで解決することもできる。一部の構成では、TPは、複数のマクロeNBと関連付けることができる。時として、どのリンク要求がサービスされるかの決定は、例えば、異なるマクロeNBによって同じTPに対して設定されたUE間で競合が発生した場合に、TPレベルにおける解決を必要とすることがある。この構成では、TPは、どの要求にサービスすべきかを局所的に決定する一方で、他の要求を拒絶することができる。
【００８４】
複数のUEが1つのTPに割り当てられた場合、2つのUEがUL／DL送信のために同じビームを認定し、各UEがリンクセットアップ要求を送信するときに、競合が発生し得る。このタイプの競合は、リンクセットアップ要求を送信するために直交リソースを各UEに割り当てることによって防止することができる。これにより、TPは、要求が同時に送信された場合であっても、どのUEがリンクを要求しているかを判断することが可能になる。次に、TPは、どのUEにサービスすべきかを最初に決定し、これに応じてそのUL／DL接続を設定することができる。DLバーストの場合、TPは、選択されたUEにDLデータを送信する。他のUEは、フレーム内の宛先符号から、そのデータが自分に対するものではないと判断し、次に他のビームを探索し続ける。ULバーストの場合、TPは、選択されたUE宛てのULグラントを送信する。他のUEは、グラントを受信しないため、リンクセットアップは失敗したと見なし、他のビームを探索し続ける。
【００８５】
高周波バーストの送信時間は非常に短いため、通常、高周波層にはモビリティの問題は存在しない。しかしながら、バースト送信の時点の近くでマクロセルハンドオーバが発生する場合には、いくつかの手順が必要とされる。好ましくは、マクロeNBは、マクロセルハンドオーバが進行中であるかまたは発生しそうであるとき、高周波層でバースト送信を開始するべきではない。しかしながら、すべてのハンドオーバを予想するまたは遅延させることはできず、依然として、マクロeNBハンドオーバ中に高周波バースト送信が発生する可能性があると考えられる。この状況では、初期の高周波層設定プロセス（マクロeNBが、関連するTPを起動し、TP設定をUEに送信する）は、ハンドオーバの前に完了されなければならない。高周波リンクセットアップおよびバースト送信は、通常通りに進行し得る。しかしながら、ハンドオーバ中に、高周波リンクセットアップ肯定応答およびHARQをターゲットマクロeNBに中継する必要がある。低周波層での再送信が必要な場合、これはターゲットマクロeNBによって処理される。ハンドオーバの前に初期設定プロセスを完了できなかった場合、高周波バースト送信は失敗し、この手順を、ターゲットマクロeNBにおいて再び開始する必要があり得る。
【００８６】
高周波層では、連続トラフィックを、短いデューティサイクルを有するバーストトラフィックブロックに分割することができる場合、連続トラフィックは、好適には、バースト送信プロセスを使用する。これに関連して、短いデューティサイクルは、UEが、受信（Rx）モードよりも大幅に長いスリープモードを伴う不連続受信（DRX）モードにあることを意味する。ただし、このスリープモードは、長いDRXまたはeDRXモードなどの、より長いデューティサイクルを有するものよりもずっと短い。これらのモードは、高周波層の安定した無線状態を期待するには長すぎるスリープ期間または「オフ期間」を伴う。例えば、ビデオストリーミングのためのダウンリンクの場合、UEは、低周波ネットワークを介してマクロeNBに接続されたままである。ダウンリンクトラフィックは、複数のデータブロックにセグメント化され、これらの各々は、パケットデータの大部分のブロックと比較して依然として大きい場合がある。比較的低速でのマクロ層における連続的なダウンリンク送信の代わりに、高速バースト送信は、これらの大きなデータブロックを配信するために、高周波層を使用して間欠的にまたは周期的に実行される。高周波送信の広い帯域幅のために、1バーストで大量のデータをUEに配信することができ、これは、電力の節約に有効な利点を示すのに十分に長いデューティサイクルを有するDRX設定を適用することができることを意味する。UEは、電力を節約するために、バースト間では高周波トランシーバをオフにすることができる。しかしながら、サービスの高いデータ速度は、高周波層での連続動作を可能にするのに十分に短いことが可能なDRX動作サイクルに対応するバースト送信が依然として比較的頻繁に必要とされることを意味する。このモードにおけるエラー訂正のための再送信は、低周波層で配信することができ、これは、ずっと小さい帯域幅を必要とする。通常のリンク適応シナリオでは、10％のブロックエラー率（BLER）が一般的な目標値である。低周波層に要求される再送信をさらに低減するために、高周波リンク適応にはより低いBLER目標を設定することができ、その結果、エラーの可能性がより低いより堅牢な送信が得られる。短いデューティサイクルのDRX設定の一実施形態として、半永続スケジューリング（SPS）のようなメカニズムを適用することもできる。この設定では、マクロeNBは、半永続なTP設定および対応するDRX／DTX設定をUEに与える。次に、UEは、周期的にバースト送受信を実行する。
【００８７】
図10は、マクロeNB150、TP130、および／またはUE102などのホストデバイスに組み込まれ得る、実施形態の処理システム1000のブロック図を示す。図示のように、処理システム1000は、プロセッサ1004、メモリ1006、およびインタフェース1010〜1014を含み、これらは、図10に示すように配置されてもよい（または配置されなくてもよい）。プロセッサ1004は、計算および／または他の処理関連タスクを実行するように適合されたコンポーネントまたは複数のコンポーネントの集合であってよく、メモリ1006は、プロセッサ1004によって実行されるプログラミングおよび／または命令を格納するように適合されたコンポーネントまたは複数のコンポーネントの集合であってもよい。一実施形態では、メモリ1006は、非一時的なコンピュータ可読媒体を含む。インタフェース1010、1012、1014は、処理システム1000が他のデバイス／コンポーネントおよび／またはユーザと通信することを可能にするコンポーネントまたは複数のコンポーネントの集合であってもよい。例えば、インタフェース1010、1012、1014のうちの1つ以上は、データメッセージ、制御メッセージ、または管理メッセージをプロセッサ1004から、ホストデバイスおよび／または遠隔デバイスにインストールされたアプリケーションに通信するように適合されてもよい。別の例として、インタフェース1010、1012、1014のうちの1つ以上は、ユーザまたはユーザデバイス（例えば、パーソナルコンピュータ（PC）など）が処理システム1000と対話／通信することを可能にするように適合されてもよい。処理システム1000は、長期記憶装置（例えば、ディスク記憶装置、不揮発性メモリなど）などの、図10に示されていない追加のコンポーネントを含んでもよい。
【００８８】
一部の実施形態では、処理システム1000は、電気通信ネットワークにアクセスするネットワークデバイスまたは電気通信ネットワークの一部であるネットワークに含まれる。一例では、処理システム1000は、ワイヤレスまたは有線電気通信ネットワーク内のネットワーク側デバイス（基地局、中継局、スケジューラ、コントローラ、ゲートウェイ、ルータ、アプリケーションサーバ、または電気通信ネットワーク内の他のデバイスなど）内にある。他の実施形態では、処理システム1000は、ワイヤレスまたは有線電気通信ネットワークにアクセスするユーザ側デバイス（移動局、ユーザ機器（UE）、パーソナルコンピュータ（PC）、タブレット、ウェアラブル通信デバイス（例えば、スマートウォッチなど）、または電気通信ネットワークにアクセスするように適合された他のデバイスなど）内にある。
【００８９】
一部の実施形態では、インタフェース1010、1012、1014のうちの1つ以上は、処理システム1000と、マクロeNB150、TP130、および／またはUE102などの電気通信ネットワークコンポーネントを介してシグナリングを送受信するように適合されたトランシーバとを接続する。図11は、電気通信ネットワークを介してシグナリングを送受信するように適合されたトランシーバ1100のブロック図を示す。トランシーバ1100は、ホストデバイスに組み込まれてもよい。図示のように、トランシーバ1100は、ネットワーク側インタフェース1102、カプラ1104、送信機1106、受信機1108、信号プロセッサ1110、およびデバイス側インタフェース1112を備える。ネットワーク側インタフェース1102は、ワイヤレスまたは有線電気通信ネットワークを介してシグナリングを送受信するように適合されたコンポーネントまたは複数のコンポーネントの集合を含んでもよい。カプラ1104は、ネットワーク側インタフェース1102を介した双方向通信を容易にするように適合されたコンポーネントまたは複数のコンポーネントの集合を含んでもよい。送信機1106は、ベースバンド信号を、ネットワーク側インタフェース1102を介した送信に適した変調されたキャリア信号に変換するように適合されたコンポーネントまたは複数のコンポーネントの集合（例えば、アップコンバータ、電力増幅器など）を含んでもよい。受信機1108は、ネットワーク側インタフェース1102を介して受信したキャリア信号をベースバンド信号に変換するように適合されたコンポーネントまたは複数のコンポーネントの集合（例えば、ダウンコンバータ、低ノイズ増幅器など）を含んでもよい。信号プロセッサ1110は、ベースバンド信号を、デバイス側インタフェース1112を介した通信に適したデータ信号に、またはこの逆に変換するように適合されたコンポーネントまたは複数のコンポーネントの集合を含んでもよい。デバイス側インタフェース1112は、信号プロセッサ1110とホストデバイス内のコンポーネント（例えば、ローカルエリアネットワーク（LAN）ポートなど）との間でデータ信号を通信するように適合されたコンポーネントまたは複数のコンポーネントの集合を含んでもよい。
【００９０】
トランシーバ1100は、任意のタイプの通信媒体を介してシグナリングを送受信してもよい。一部の実施形態では、トランシーバ1100は、ワイヤレス媒体を介してシグナリングを送受信する。例えば、トランシーバ1100は、ワイヤレス電気通信プロトコル（セルラープロトコル（例えば、ロングタームエボリューション（LTE）など）、ワイヤレスローカルエリアネットワーク（WLAN）プロトコル（例えば、Wi−Fiなど）、または他のタイプのワイヤレスプロトコル（例えば、ブルートゥース（登録商標）、近距離通信（NFC）など）など）に従って通信するように適合されたワイヤレストランシーバであってもよい。そのような実施形態では、ネットワーク側インタフェース1102は、1つ以上のアンテナ／放射要素を備える。例えば、ネットワーク側インタフェース1102は、単一のアンテナ、複数の別々のアンテナ、または多層通信用に構成されたマルチアンテナアレイ（例えば、単入力多出力（SIMO）、多入力単出力（MISO）、多入力多出力（MIMO）など）を含んでもよい。他の実施形態では、トランシーバ1100は、有線媒体（例えば、ツイストペアケーブル、同軸ケーブル、光ファイバなど）を介してシグナリングを送受信する。特定の処理システムおよび／またはトランシーバは、図示されているコンポーネントのすべてを利用してもよいし、コンポーネントのサブセットのみを利用してもよく、また、統合レベルは、デバイスごとに異なってもよい。
【００９１】
実施形態を、例示の実施形態を参照して説明してきたが、この説明は、限定的な意味で解釈されることを意図していない。例示の実施形態の様々な修正例および組み合わせならびに他の実施形態は、説明を参照することにより当業者に明らかになる。したがって、添付の特許請求の範囲は、そのような修正例または実施形態を包含することが意図されている。
【符号の説明】
【００９２】
100  高周波ネットワーク
102  UE
110  受信ビーム
112  受信ビーム
114  受信ビーム
120  ダウンリンクビーム
122  ダウンリンクビーム
124  ダウンリンクビーム
130  TP
132  TP
134  TP
150  マクロeNB
156  フロンタール接続
1000  処理システム
1004  プロセッサ
1006  メモリ
1010  インタフェース
1012  インタフェース
1014  インタフェース
1100  トランシーバ
1102  ネットワーク側インタフェース
1104  カプラ
1106  送信機
1108  受信機
1110  信号プロセッサ
1112  デバイス側インタフェース
B0〜B11  ビーム
【図１】
2019520737.tif 000004
【図２】
2019520737.tif 000005
【図３Ａ】
2019520737.tif 000006
【図３Ｂ】
2019520737.tif 000007
【図４】
2019520737.tif 000008
【図５】
2019520737.tif 000009
【図６】
2019520737.tif 000010
【図７Ａ】
2019520737.tif 000011
【図７Ｂ】
2019520737.tif 000012
【図７Ｃ】
2019520737.tif 000013
【図８】
2019520737.tif 000014
【図９Ａ】
2019520737.tif 000015
【図９Ｂ】
2019520737.tif 000016
【図１０】
2019520737.tif 000017
【図１１】
2019520737.tif 000018
【手続補正書】
【提出日】平成30年12月26日(2018.12.26)
【手続補正１】
【補正対象書類名】特許請求の範囲
【補正対象項目名】全文
【補正方法】変更
【補正の内容】
【特許請求の範囲】
【請求項１】
ワイヤレスネットワークにおいて1つ以上の高周波送信点TPとユーザ機器UEとの間にデータリンクを提供するための方法であって、前記方法が、
前記ワイヤレスネットワークにおいてマクロセルマネージャからの割り当てを前記UEによって受信するステップであって、前記割り当てが、1つ以上の高周波TPダウンリンクビームにマッピングされたUE専用の基準信号セットを含む、ステップと、
前記UEによって、前記1つ以上のTPダウンリンクビームの各々で送信された前記UE専用の基準信号を検出することにより前記1つ以上のTPダウンリンクビームの各々を識別するステップと、
前記UEによって前記1つ以上のTPダウンリンクビームの各々の品質を測定するステップと、
前記品質に基づいて前記1つ以上のTPダウンリンクビームから、選択されたビームを選択するステップと、
前記選択されたビームを送信した前記高周波TPとの前記データリンクを、前記UEによって前記選択されたビームを使用して確立するステップと
を含む、方法。
【請求項２】
前記マクロセルマネージャが、低周波トランシーバを含み、前記1つ以上のTPを制御し、割り当てを受信する前記ステップが、前記低周波トランシーバを使用して送信される、請求項1に記載の方法。
【請求項３】
前記TPダウンリンクビーム形成された基準信号が、拡張送信時間間隔TTに送信され、前記TTIの長さが、前記マクロセルマネージャによって定義される、請求項1に記載の方法。
【請求項４】
UEが、前記複数の高周波TPダウンリンクビームのうちの好適な1つを検出した後、リンクセットアップ要求およびチャネル品質インジケータCQIを高周波TPに送信し、次に、ULバースト送信に対するアップリンクULグラントまたは前記選択されたビームで送信される、前記高周波TPからのダウンリンクDLデータを待機する、請求項1に記載の方法。
【請求項５】
前記予め設定されたTx−Rxビーム形成時間パターンに基づいて、前記好適なビームの方向に沿って前記リンクセットアップ要求を前記TPに直接送信することができる、請求項4に記載の方法。
【請求項６】
ワイヤレスネットワークにおいて高周波送信点TPとユーザ機器UEとの間にデータリンクを提供するための方法であって、前記方法が、
マクロセルマネージャからの割り当てを前記TPによって受信するステップであって、前記割り当てが、複数のビームにマッピングされたUE専用の基準信号セットを含む、ステップと、
前記TPによって前記複数のビームを送信するステップと、
前記TPによって、前記複数のビームのうちの1つでリンクをセットアップするためにUEリンクセットアップ要求を検出するステップと、
前記TPによってリンクセットアップ指示をマクロセルに報告するステップと
を含む、方法。
【請求項７】
TPが、前記UEリンクセットアップ要求を検出する前記ステップまで前記複数のビームを逐次的に送信する、請求項6に記載の方法。
【請求項８】
前記TPが、前記UEリンクセットアップ要求を受信したら、前記複数のビームの送信を中止し、次の高周波送信時間間隔TTIの境界でダウンリンクDLデータまたはアップリンクULグラントを送信する、請求項6に記載の方法。
【請求項９】
ワイヤレスネットワークにおいて指定された高周波送信点TPとユーザ機器UEとの間にデータリンクを提供するための方法であって、前記方法が、
マクロセルマネージャによって高周波可用性指示を前記UEに送信するステップと、
前記マクロセルマネージャによって割り当てを前記TPに送信するステップであって、前記割り当てが、前記TPからの複数のビームにマッピングされたUE専用の基準信号セットを含む、ステップと、
マクロセルマネージャによってUEコンテキスト情報を受信するステップと、
マクロセルマネージャによって、ダウンリンクバースト送信に関する前記UEからのACK／NACKまたはアップリンクバースト送信に関する前記TPからのACK／NACKを受信するステップと
を含む、方法。
【請求項１０】
前記マクロセルマネージャが、前記TPと前記UEとの間にバースト送信を確立するかどうかを決定し、マクロセルマネージャが、前記UEをページングし、UEコンテキスト情報を収集し、前記UEコンテキスト情報が、前記マクロセルマネージャによって、DLバースト送信を確立するかどうかの決定に使用される、請求項9に記載の方法。
【請求項１１】
マクロセルマネージャが、低周波でハイブリッド自動再送要求（HARQ）を提供する、請求項9に記載の方法。
【請求項１２】
ダウンリンク（DL）バースト送信に関して、マクロセルマネージャが、前記UEからのACK／NACK、前記低周波で再送信を提供する、請求項9に記載の方法。
【請求項１３】
ワイヤレスネットワークにおいてユーザ機器（UE）と1つ以上の高周波送信点（TP）との間にデータリンクを提供するように構成されたユーザ機器（UE）であって、
高周波帯域で動作する第1のトランシーバと、
低周波帯域で動作する第2のトランシーバと、
命令を実行するためのプロセッサであって、前記命令が、
前記ワイヤレスネットワークにおいて、マクロセルマネージャからの割り当てを受信することであって、前記割り当てが複数の高周波TPダウンリンクビームにマッピングされたUE専用の基準信号セットを含む、受信すること、
前記複数のTPダウンリンクビームの各々で送信された前記UE専用の基準信号を検出することによって前記複数のTPダウンリンクビームの各々を識別すること、
前記複数のTPダウンリンクビームの各々の品質を測定すること、
前記品質に基づいて前記複数のTPダウンリンクビームから、選択されたビームを選択すること、および
前記選択されたビームを送信した前記高周波TPとのデータリンクを、前記選択されたビームを使用して確立すること
を含む、プロセッサと
を備える、ユーザ機器（UE）。
【請求項１４】
ワイヤレスネットワークにおいて高周波送信点TPとユーザ機器UEとの間にデータリンクを提供するように構成された高周波送信点TPであって、
マクロセルマネージャとの通信リンクと、
高周波帯域で通信するためのトランシーバと、
命令を実行するためのプロセッサであって、前記命令が、
前記マクロセルマネージャからの割り当てを受信することであって、前記割り当てが複数のビームにマッピングされたUE専用の基準信号セットを含む、受信すること、
前記トランシーバを使用して前記複数のビームを送信すること、
前記複数のビームのうちの1つでリンクをセットアップするためにUEリンクセットアップ要求を検出すること、および
リンクセットアップ指示をマクロセルマネージャに報告すること
を含む、プロセッサと
を備える、高周波送信点TP。
【請求項１５】
ワイヤレスネットワークにおいて指定された高周波送信点TPとユーザ機器UEとの間にデータリンクを提供するように構成されたマクロセルマネージャであって、
高周波帯域で動作する第1のトランシーバと、
低周波帯域で動作する第2のトランシーバと、
命令を実行するためのプロセッサであって、前記命令が、
前記第2のトランシーバを使用して高周波可用性指示を前記UEに送信すること、
割り当てを前記TPに送信することであって、前記割り当てが前記TPからの複数のビームにマッピングされたUE専用の基準信号セットを含む、送信すること、
前記UEからのUEコンテキスト情報を受信すること、および
ダウンリンクバースト送信に関する前記UEからのACK／NACKまたはアップリンクバースト送信に関する前記TPからのACK／NACKを受信すること
を含む、プロセッサと
を備える、マクロセルマネージャ。
【国際調査報告】
2019520737.tif 000019
2019520737.tif 000020